(57)【要約】【課題】簡単な構成で、停止時に回転調理体が浮き上がらない回転調理器の回転接続構造を提供する。【解決手段】回転調理器の駆動軸の上端に設けられ、径方向外周に突出する複数の駆動突起１４が形成された駆動部材５と、食材を回転調理する回転調理体８の下端に設けられ、駆動部材５の外周に嵌合し、内側に駆動突起１４と係合可能な従動突起１５が形成された環状の従動部材とからな回転接続構造において、駆動突起１４は、駆動部材５の回転方向Ｒ前側に、駆動部材５の回転によって従動突起１５の回転方向Ｒ後側を押動し、従動部材を回転させつつ下方に押下できるような傾斜を有する駆動面１６と、駆動突起１４の回転方向Ｒ後側に、従動部材が駆動部材５に嵌合した状態で、従動突起１５の回転方向Ｒの先端部２０より上方において、回転方向Ｒ後側に突出する係止部２１とを形成する。【選択図】図４
2007306970.tif 000002
【特許請求の範囲】
【請求項１】
回転調理器の駆動軸の上端に設けられ、径方向外周に突出する複数の駆動突起が形成された駆動部材と、
前記駆動軸に接続されて食材を回転調理する回転調理体の下端に設けられ、前記駆動部材の外周に嵌合し、内側に前記駆動突起と係合可能な従動突起が形成された環状の従動部材とからなり、
前記駆動突起は、前記駆動部材の回転方向前側に、前記駆動部材の回転によって前記従動突起の前記回転方向後側を押動し、前記従動部材を回転させつつ下方に押下できるような傾斜を有する駆動面と、
前記駆動突起の前記回転方向後側に、前記従動部材が前記駆動部材に嵌合した状態で、前記従動突起の前記回転方向の先端部より上方において、前記回転方向後側に突出する係止部とを有することを特徴とする回転調理器の回転接続構造。
【請求項２】
前記従動突起は、前記回転方向前側が前記駆動面と平行な従動背面をなし、前記従動背面の上端が前記先端部であり、
前記駆動突起は、前記回転方向後側に前記駆動面と平行な駆動背面を有し、前記係止部が前記駆動背面の上端に形成されていることを特徴とする請求項１に記載の回転調理器の回転接続構造。
【発明の詳細な説明】
【技術分野】
【０００１】
本発明は、回転調理器の回転接続構造に関する。
【背景技術】
【０００２】
ジューサやミキサのような回転調理器では、本体の駆動軸の上端に、回転力を伝達するための突起を形成した概略円盤状の駆動部材を設け、カッタなどの回転調理体の下端に駆動部材に係合する従動部材を設けることで回転調理体を接続できるようにしている。
【０００３】
特に、ジューサのカッタおよびフィルタのように、調理容器に保持されない回転調理体は、駆動部材の突起に圧力角を設けて、調理時のモータの回転力によって下向きに押さえつけられるようにしている。しかしながら、調理終了時に、モータが先に停止し、回転調理体が慣性によって回転し続けることで、従動部材が駆動部材から脱離して、回転調理体が浮き上がってしまう場合がある。このため、特許文献１に記載されているジューサでは、駆動部材の側面にばねにより突出して従動部材に係合する専用の部材を設けて、従動部材の浮き上がりを防止している。
【特許文献１】特開２００４−３３７５２４号公報
【発明の開示】
【発明が解決しようとする課題】
【０００４】
そこで、本発明は、簡単な構成で、停止時に回転調理体が浮き上がらない回転調理器の回転接続構造を提供することを課題とする。
【課題を解決するための手段】
【０００５】
前記課題を解決するために、本発明による回転調理器の回転接続構造は、回転調理器の駆動軸の上端に設けられ、径方向外周に突出する複数の駆動突起が形成された駆動部材と、前記駆動軸に接続されて食材を回転調理する回転調理体の下端に設けられ、前記駆動部材の外周に嵌合し、内側に前記駆動突起と係合可能な従動突起が形成された従動部材とからなり、前記駆動突起は、前記駆動部材の回転方向前側に、前記駆動部材の回転によって前記従動突起の前記回転方向後側を押動し、前記従動部材を回転させつつ下方に押下できるような傾斜を有する駆動面と、前記駆動突起の前記回転方向後側に、前記従動突起の前記回転方向の先端部より上方において、前記回転方向後側に突出する係止部とを有するものとする。
【０００６】
この構成によれば、駆動軸が停止した際に回転調理体が慣性により過回転すると、従動部材の従動突起の前側が駆動部材の駆動突起の後側に当接するが、駆動突起に係止部を設けているので従動突起が係止部を乗り越えて上方に脱離することができず、回転調理体の浮き上がりを防止できる。
【０００７】
また、本発明の回転接続構造において、前記従動突起は、前記回転方向前側が前記駆動面と平行な従動背面をなし、前記従動背面の上端が前記先端部であり、前記駆動突起は、前記回転方向後側に前記駆動面と平行な駆動背面を有し、前記係止部が前記駆動背面の上端に形成されていてもよい。
【０００８】
この構成によれば、従動突起の駆動突起の間でのガタが小さいので、従動突起と駆動突起との接離の衝撃が小さくなり、よりスムーズな起動、停止が可能となる。
【発明の効果】
【０００９】
本発明によれば、駆動部材の駆動突起の回転方向後側に、従動部材の脱離を防止する係止部を設けただけの簡単な構成で、回転調理体の浮き上がりを防止できる。
【発明を実施するための最良の形態】
【００１０】
これより、本発明の実施形態について、図面を参照しながら説明する。
図１に、本発明の第１実施形態の回転接続構造を有する回転調理器であるジューサ１を示す。ジューサ１は、モータ２を収容した本体３から上方に突出する駆動軸４の上端に駆動部材５が設けられ、食材を摺り下ろすカッタ６と摺り下ろされた食材から液体分を濾し取るフィルタ７とを有する回転調理体８が接続されている。回転調理体８の下端には、駆動部材５の外周に嵌合する従動部材９が一体に形成されている。
【００１１】
また、ジューサ１は、遠心力によりフィルタ７を這い上がった食材の固形分を回収する区分容器１０と、区分容器１０を閉塞する蓋体１１と、区分容器１０および蓋体１１を覆う外装カバー１２と、蓋体１１および外装カバー１２の中央の開口から投入した食材をカッタ６に押し付けるための押し込み部材１３とを有している。
【００１２】
図２に示すように、駆動部材５は、略円盤状をなし、径方向外周に複数の駆動突起１４が形成されている。また、図３に示すように、従動部材９は、筒型環状をなし、内側に従動突起１５が形成されている。
【００１３】
図４にさらに詳しく示すように、従動突起１５は、駆動突起１４同士の隙間に挿入されて駆動突起１４と係合する。駆動部材５は、駆動軸４と共に矢印Ｒ方向に回転するようになっている。
【００１４】
駆動突起１４は、回転方向Ｒ前側が上側ほど前方に突出するように傾斜した駆動面１６をなし、従動突起１５の上に重なるように当接する。従動突起１５は、回転方向Ｒ後側が駆動面１６と同じ傾斜を有する従動面１７をなし、駆動面１６に斜め下から当接する。また、従動突起１５は、駆動面１６と平行に細長く延伸する突起であり、回転方向Ｒ前側が駆動面１６と平行な従動背面１８をなしている。また、駆動突起１４は、回転方向Ｒ後側が駆動面１６と平行な駆動背面１９をなしている。さらに、駆動突起１４は、駆動背面１９の上端に、図示するように、従動部材９を駆動部材５に嵌合した状態で、従動背面１８の上端の先端部２０よりも上方において回転方向Ｒ後側に突出する係止部２１を有している。
【００１５】
図５に示すように、駆動面１６の延長平面と係止部２１との距離は、従動面１７と従動背面１８との距離、つまり、従動突起１５の幅より僅かに大きく、従動突起１５は、駆動面１６の傾斜に沿って駆動突起１４の隙間に挿入できるようになっている。
【００１６】
ジューサ１において、モータ２を回転すると、駆動部材５がＲ方向に回転する。すると、駆動突起１４がＲ方向に移動して、図４に示すように、駆動面１６を従動面１７に当接させ、従動部材９をＲ方向に回転させるとともに、駆動面１６の傾斜が圧力角となって従動部材９を下方に押下する。
【００１７】
モータ２の回転を停止すると、駆動部材５は直ちに停止するが、回転調理体８は、慣性によってＲ方向に回転し続けようとする場合がある。その場合、図６に示すように、従動突起１５は、駆動突起１４に対してＲ方向に移動し、従動背面１８を駆動背面１９に当接させる。すると、駆動背面１９の傾斜が圧力角となり、従動突起１５は、駆動背面１９に沿って上方にせり上がる。しかしながら、駆動背面１９の上端には係止部２１が突出して設けられているので、先端部２０が係止部２１に係止され、従動突起１５は、それ以上、駆動背面１９に沿ってせり上がることができない。
【００１８】
このように、ジューサ１は、従動部材９の脱離を防止するために専用の部材を設けてはいないが、モータ２を急激に停止しても、従動突起１５を駆動突起１４の間に留めることができ、従動部材９が駆動部材５から脱離して回転調理体８が浮き上がることがない。
【００１９】
さらに、図７に、本発明の回転調理器の回転接続構造の第２実施形態にかかる駆動部材５と従動突起１５との形状を示す。以降、先に説明した実施形態と同じ構成要素には同じ符号を付し、説明を省略する。本実施形態の駆動突起１４は、矢印Ｒで示す回転方向後側の駆動背面１９が、駆動面１６と逆方向に傾斜している。このため、駆動背面１９の上端が、自ずと回転方向Ｒ後側に突出し、駆動背面１９と連続一体的な係止部２１をなしている。
【００２０】
本実施形態においても、係止部２１が従動突起１５の先端部２０の上方で回転方向Ｒ後側に突出しているので、従動部材９が駆動部材５に対してＲ方向に回転しても、係止部２１が従動突起１５を係止して、従動部材９の上方への移動を許さず、回転調理体８の浮き上がりを防止できる。
【００２１】
図８に、本発明の第３実施形態にかかる回転調理器の回転接続構造を示す。本実施形態の従動突起１５は、従動背面１８の下端に回転方向Ｒに突出した先端部２０を形成してある。これに対応し、駆動突起１４は、駆動背面１９の下端を回転方向Ｒに切り欠いて、先端部２０を受け入れ可能な凹部２２が形成されている。また、駆動突起１４は、駆動背面１９と凹部２２との境界部分が、従動突起１５の先端部２０の上方において回転方向Ｒ後側に突出し、従動突起１５の浮き上がりを抑止する係止部２１になっている。
【００２２】
本実施形態が示すように、先端部２０は、部分的であっても従動突起１５の回転方向Ｒ前側に凸な部分であればよく、図９に示す本発明の第４実施形態のように、従動背面１８の中央を突出させて形成してもよい。また、係止部２１も、回転方向Ｒ後側に最も突出している必要はなく、図９に示すように、垂直な駆動背面１９に凹部を設けることによって相対的に突出した部分として形成してもよい。
【００２３】
さらに、図１０に示す本発明の第５実施形態のように、従動突起１５を駆動突起１４に比べて小さく形成すれば、従動突起１５の回転方向Ｒ前側略全体を先端部２０とみなすこともできる。
【図面の簡単な説明】
【００２４】
【図１】本発明の第１実施形態の回転接続構造を有するジューサの断面図。
【図２】図１のジューサの本体の斜視図。
【図３】図１のジューサのフィルタユニットの斜視図。
【図４】図１の駆動突起と従動突起の運転時の関係を示す駆動部材の外周展開図。
【図５】図４の従動突起挿入途中を示す駆動部材の外周展開図。
【図６】図４の駆動突起と従動突起の停止時の関係を示す駆動部材の外周展開図。
【図７】本発明の第２実施形態の回転接続構造を有する駆動部材の外周展開図。
【図８】本発明の第３実施形態の回転接続構造を有する駆動部材の外周展開図。
【図９】本発明の第４実施形態の回転接続構造を有する駆動部材の外周展開図。
【図１０】本発明の第５実施形態の回転接続構造を有する駆動部材の外周展開図。
【符号の説明】
【００２５】
１  ジューサ（回転調理器）
４  駆動軸
５  駆動部材
８  回転調理体
９  従動部材
１４  駆動突起
１５  従動突起
１６  駆動面
１７  従動面
１８  従動背面
１９  駆動背面
２０  先端部
２１  係止部
【図１】
2007306970.tif 000003
【図２】
2007306970.tif 000004
【図３】
2007306970.tif 000005
【図４】
2007306970.tif 000006
【図５】
2007306970.tif 000007
【図６】
2007306970.tif 000008
【図７】
2007306970.tif 000009
【図８】
2007306970.tif 000010
【図９】
2007306970.tif 000011
【図１０】
2007306970.tif 000012